(57)【要約】【課題】折畳んだ状態のときに、表示部に表示される画像を目視できる表示部を１つのみ有する折畳携帯電話機を提供する。【解決手段】  本発明の携帯電話機は、折畳みの状態のときに、画像を表示する表示部が筐体の内部に収納される折畳携帯電話機であって、前記表示部に表示されている画像を第２反射鏡に向けて反射する第１の反射鏡と、第１の反射鏡からの画像を筐体に設けた開口部を通して外部へ反射する第２の反射鏡とを備える構成である。【選択図】図１
2005064895.tif 000002
【特許請求の範囲】
【請求項１】
折畳みの状態のときに、画像を表示する表示部が筐体の内部に収納される折畳携帯電話機であって、
前記表示部に表示されている画像を第２反射鏡に向けて反射する第１の反射鏡と、
第１の反射鏡からの画像を筐体に設けた開口部を通して外部へ反射する第２の反射鏡とを備えることを特徴とする折畳携帯電話機。
【請求項２】
折畳みの状態のときに、表示部に画像を表示させる表示起動手段を備えることを特徴とする請求項１記載の折畳携帯電話機。
【発明の詳細な説明】
【技術分野】
【０００１】
本発明は、画像を表示する表示部を備え、折畳みが可能な構造を有する携帯電話機に関する。
【背景技術】
【０００２】
図４に従来の折畳携帯電話機の説明図を示す。
【０００３】
従来、携帯電話機では、筐体を２つ折りに折り畳む構造のものがある。
【０００４】
この折り畳み式の携帯電話機は、例えば、携帯電話機を開いた状態の上部の内側面には、受話部、バックライト付き液晶ディスプレイの第１表示部が配置されている。
また、折畳携帯電話機を開いた状態の下部の内側面には、操作部及び送話部等が設けられている（図４(a)参照）。
【０００５】
そして、第１表示部には、受信レベル表示、日付、時計やバッテリの残量等の待受け画面表示や操作部からの入力データ等が表示される。
【０００６】
一方、折り畳んだ状態の外側には、アンテナ、待受け画面を表示するフロントカバーに設けられたバックライト付き液晶ディスプレイの第２表示部等が設けられている（図４(b)参照）。
【０００７】
この折畳携帯電話機で電話をかける場合には、まず、折畳携帯電話機を開く。
【０００８】
すると、バックライトが点灯し、第１表示部が見易くなるので、その状態で操作部から相手の電話番号を入力すると、その内容が第１表示部に表示される。そこで、その内容を確認して、電話キーを押下すると相手と接続されるので、送受話部を使用して通話することができる。そして通話が終了するときには、電話キーを押下して電話を切り、折畳むと第２表示部に、待受け画面が表示される。
【特許文献１】特開２００１−１３６２４７号公報
【発明の開示】
【発明が解決しようとする課題】
【０００９】
しかし、折畳携帯電話機に２つの表示部を搭載することは、表示ユニットや周辺回路の追加が必要となるため、１つの表示部を備えた携帯電話機と比較すると、コストが増大するという点が問題となる。
【課題を解決するための手段】
【００１０】
本発明の携帯電話機は、折畳みの状態のときに、画像を表示する表示部が筐体の内部に収納される折畳携帯電話機であって、前記表示部に表示されている画像を第２反射鏡に向けて反射する第１の反射鏡と、第１の反射鏡からの画像を筐体に設けた開口部を通して外部へ反射する第２の反射鏡とを備える構成である。
【００１１】
２つの反射鏡を設けたことで、折畳みにより筐体内部に収納された表示部上の画像を筐体の外部へ反射することができる。
【００１２】
また、折畳みの状態のときに、表示部に画像を表示させる表示起動手段を備える構成である。
【００１３】
折畳みのときに、省電力モードで表示部の電源をオフにしている場合には、キー押下等により、電源オンにすることで画像を表示するための表示起動を行うことができる。
【発明の効果】
【００１４】
本発明を用いた表示方式を用いることにより、折畳んだ状態でも、内側に設けられている表示部の画像をフロントカバーの開口部から見られるので、２つの表示部を用いる必要がないという効果を有する。
【発明を実施するための最良の形態】
【００１５】
折畳携帯電話機の2つの表示部を１つの表示部と２つの反射鏡にすることで、同等の機能を実現した。
【実施例１】
【００１６】
図1に実施例の折畳携帯電話機の構成図を示す。
【００１７】
携帯電話機１は、無線部２と制御部３、表示部４と表示キー制御部５、入力操作部６と、送受話器７を有する。
【００１８】
また、表示部４は、表示制御部８とディスプレイ９と第１反射鏡１０と第２反射鏡１１から構成される。
【００１９】
無線部２は、無線基地局との通信をアンテナを介して行う。
【００２０】
制御部３は、装置全体の制御を行う。また表示キー制御部５の表示キーの検出により、ディスプレイ９の一定時間のバックライトの点灯を表示制御部８に指示する。
【００２１】
表示部４は、折畳携帯電話機１を開いた状態の上部の内側面に設けられている。画像を表示をする。
【００２２】
例えば、受信レベル表示、日付、時計やバッテリの残量等の待受け画面表示や入力操作部６からの入力データ等が表示される。
【００２３】
表示キー制御部５は、折畳携帯電話機１が折畳まれた場合に、表示キーの押下を検出する制御を行う。
【００２４】
入力操作部６は、各種キー及び入力されたデータを検出する制御を行う。
【００２５】
送受話器７は、電話としての使用する送話器と受話器とを有する。
【００２６】
表示制御部８は、ディスプレイ９に、制御部３からのデータを画像表示する制御を行う。
【００２７】
ディスプレイ９は、例えばバックライト付き液晶ディスプレイである。
【００２８】
第１反射鏡１０は、ディスプレイ９に表示された画像を第２反射鏡に向けて反射する。
例えば、平面鏡である。
【００２９】
第２反射鏡１１は、第１反射鏡１０からの画像をフロントカバーの開口部から外部へ更に反射する。例えば、平面鏡である。
【００３０】
折畳携帯電話機１は、フロントカバーに開口部を有し、その位置は、表示部４の表示面に対して、裏側の部分に設けられている。
【００３１】
図２に実施例の折畳携帯電話機の説明図を示す。
【００３２】
図３に実施例の折畳携帯電話機の処理の流れ図を示す。
【００３３】
図２、図３を基に実施例を説明する。
【００３４】
まず、制御部３は、折畳携帯電話機１が折畳まれているか否かを開閉の検出により確認する（図３のＳ１ステップ）。
【００３５】
折畳携帯電話機１を折畳まれた状態から開いた状態にして、表示部４が直接見える形にした場合は(図２(a)参照)、制御部３は、通常モードで実行する（図３のＳ２ステップ）。
【００３６】
このとき、電話や電子メールとしての使用が可能となる。
【００３７】
例えば、電子メールを送信するときには、使用者が宛先やメッセージを入力操作部６から入力すると、表示部４に表示されるので、それを見て確認し、送信キーを押下すると、制御部３がデータを編集して無線部２から基地局へ電子メールを送信する。
【００３８】
一方、折畳携帯電話機１が折畳まれている場合、すなわち、表示部４が折畳んだ携帯電話機の内部に収納されている場合は、待受けモードに入る(図２(b)参照)。
【００３９】
このときには、表示部４の電源は、省電力のため、オフにしておく。
【００４０】
この待受けモードのときに、使用者が表示画面を見たい場合には、例えば表示キーを押下する（図３のＳ３ステップ）。
【００４１】
そして表示キーの押下を表示キー制御部５が検出すると、制御部３は、表示部４の電源を投入するとともに、バックライトを点灯する等の表示起動を行う（図３のＳ４ステップ）。
【００４２】
バックライト点灯により、制御部３が表示部４に表示した受信レベル表示、日付、時計やバッテリの残量等の待受け画面の画像が、第１の反射鏡で反射して第２の反射鏡に入射する。
【００４３】
次に、第２の反射鏡で反射された画像は、折畳んだ折畳携帯電話機１のフロントカバーの開口部から使用者の目に画像として入力される(図２(C)参照)。
【００４４】
ここで、第１の反射鏡で左右反転した画像は第２の反射鏡で再度左右反転されるので、第２の反射鏡に映し出される画像は元に戻った画像になり、使用者は、折畳んだ折畳携帯電話機１の状態で表示部４の画像を見ることが可能となる。
【００４５】
第１反射鏡１０、第２反射鏡１１は、受信レベル表示、日付、時計やバッテリの残量等の待受け画面の画像のみを映し出す反射鏡とすることで、反射鏡の大きさを小さくするができる。
【００４６】
なお、第１の反射鏡を凸面鏡とすることにより画像は拡大して反射し、第２の反射鏡を凹面鏡とすることで、画像を基に戻すことで、歪みを調整して使用者に画像を見せることもできる。
【００４７】
折畳んだときに、電源をオフにせずに、バックライトを点灯したままの状態にしたときには、表示起動は、不要である。
【００４８】
また、表示部４のディスプレイ９がＥＬ（electroluminescence エレクトロルミネッセンス）ディスプレイの場合には、自己発光型のディスプレイのため、バックライト点灯は不要である。そのため、省電力のため、折畳んだときに、ディスプレイ９の電源をオフにした場合には、表示キーの押下による表示起動により、ディスプレイ９の電源をオンにすることで、例えば、待受け画面の画像を使用者は見ることができるようになる。
【産業上の利用可能性】
【００４９】
２つの反射鏡を設けることで、１つの表示部を持つ折畳携帯電話機の表示部の１つを削除することができる。
【図面の簡単な説明】
【００５０】
【図１】実施例の折畳携帯電話機の構成図
【図２】実施例の折畳携帯電話機の説明図
【図３】実施例の折畳携帯電話機の処理の流れ図
【図４】従来の折畳携帯電話機の説明図
【符号の説明】
【００５１】
１        折畳携帯電話機
２        無線部
３        制御部
４        表示部
５        表示キー制御部
６        入力操作部
７        送受話器
８        表示制御部
９        ディスプレイ
１０        第１反射鏡
１１        第２反射鏡
【図１】
2005064895.tif 000003
【図２】
2005064895.tif 000004
【図３】
2005064895.tif 000005
【図４】
2005064895.tif 000006